(57)【要約】【課題】ユーザが携帯電話機を使用していない場合にバックライトが点灯し続けてしまう問題を回避しつつ、ユーザが使用している可能性が高い場合にバックライト点灯時間を長くして、使い勝手を向上させる。【解決手段】携帯電話機１は、バックライト１１１を有する表示部１１と、入力を検出する操作部１２と、携帯電話機１の姿勢を検出する姿勢検出部１３と、操作部１２からの入力のあった場合はバックライト１１１を点灯させ、操作部１２からの入力のあった時から所定時間操作部１２からの入力のない場合はバックライト１１１を消灯させるバックライト制御部１４と、を備える。バックライト制御部１４は、操作部１２からの入力のあった時から同じ姿勢を検出し続けているときは、操作部１２からの入力のあった時から同じ姿勢を検出し続けていないときよりも、バックライト１１１の点灯時間を長くする。【選択図】図１
2010171568.tif 000002
【特許請求の範囲】
【請求項１】
バックライトを有する表示部と、
入力を検出する操作部と、
当該携帯電話機の姿勢を検出する姿勢検出部と、
前記操作部からの入力のあった場合は前記バックライトを点灯させ、前記操作部からの入力のあった時から所定時間前記操作部からの入力のない場合は前記バックライトを消灯させるバックライト制御部と、を備え、
前記バックライト制御部は、前記操作部からの入力のあった時から同じ姿勢を検出し続けているときは、前記操作部からの入力のあった時から同じ姿勢を検出し続けていないときよりも、バックライトの点灯時間を長くする
携帯電話機。
【請求項２】
前記姿勢検出部は、当該携帯電話機の姿勢が安定してから前記操作部からの入力のあった時の姿勢を検出する
請求項１記載の携帯電話機。
【請求項３】
バックライトを有する表示部と、
入力を検出する操作部と、
当該携帯電話機の姿勢を検出する姿勢検出部と、
前記操作部からの入力のあった場合は前記バックライトを点灯させ、前記バックライトを点灯させてから所定時間前記操作部からの入力のない場合は、前記バックライトを消灯させるバックライト制御部と、を備え、
前記バックライト制御部は、前記バックライトを点灯させた時から同じ姿勢を検出し続けているときは、前記バックライトを点灯させた時から同じ姿勢を検出し続けていないときよりも、バックライトの点灯時間を長くする
携帯電話機。
【請求項４】
バックライトを有する表示部と、
入力を検出する操作部と、
当該携帯電話機の姿勢を検出する姿勢検出部と、
前記操作部からの入力のあった場合は前記バックライトを点灯させ、前記操作部からの入力のあった時から所定時間前記操作部からの入力のない場合は前記バックライトを消灯させるバックライト制御部と、を備え、
前記バックライト制御部は、前記操作部からの入力のあった時の姿勢から所定の姿勢状態の範囲内を検出し続けているときは、前記操作部からの入力のあった時の姿勢から所定の姿勢状態の範囲内を検出し続けていないときよりも、バックライトの点灯時間を長くする
携帯電話機。
【請求項５】
バックライトを有する表示部と、
入力を検出する操作部と、
当該携帯電話機の姿勢を検出する姿勢検出部と、
前記操作部からの入力のあった場合は前記バックライトを点灯させ、前記バックライトを点灯させてから所定時間前記操作部からの入力のない場合は、前記バックライトを消灯させるバックライト制御部と、を備え、
前記バックライト制御部は、前記バックライトを点灯させた時の姿勢から所定の姿勢状態の範囲内を検出し続けているときは、前記バックライトを点灯させた時の姿勢から所定の姿勢状態の範囲内を検出し続けていないときよりも、バックライトの点灯時間を長くする
携帯電話機。
【請求項６】
バックライトを有する表示部と、
入力を検出する操作部と、
当該携帯電話機の姿勢を検出する姿勢検出部と、
前記操作部からの入力のあった場合は前記バックライトを点灯させ、前記操作部からの入力のあった時から所定時間前記操作部からの入力のない場合は前記バックライトを消灯させるバックライト制御部と、を備え、
前記バックライト制御部は、当該携帯電話機の姿勢の変化が所定範囲内よりも小さいときは、当該携帯電話機の姿勢の変化が所定範囲内よりも大きいときよりも、バックライトの点灯時間を長くする
携帯電話機。
【請求項７】
バックライトを有する表示部と、操作部と、を備える携帯電話機におけるバックライトの制御方法であって、
入力を検出する入力検出ステップと、
当該携帯電話機の姿勢を検出する姿勢検出ステップと、
前記操作部からの入力のあった場合は前記バックライトを点灯させ、前記操作部からの入力のあった時から所定時間前記操作部からの入力のない場合は前記バックライトを消灯させるバックライト制御ステップと、を有し、
前記バックライト制御ステップは、前記操作部からの入力のあった時から同じ姿勢を検出し続けているときは、前記操作部からの入力のあった時から同じ姿勢を検出し続けていないときよりも、バックライトの点灯時間を長くする
携帯電話機におけるバックライトの制御方法。
【請求項８】
バックライトを有する表示部と、操作部と、を備える携帯電話機におけるバックライトの制御方法であって、
入力を検出する入力検出ステップと、
当該携帯電話機の姿勢を検出する姿勢検出ステップと、
前記操作部からの入力のあった場合は前記バックライトを点灯させ、前記バックライトを点灯させてから所定時間前記操作部からの入力のない場合は、前記バックライトを消灯させるバックライト制御ステップと、を有し、
前記バックライト制御ステップは、前記バックライトを点灯させた時から同じ姿勢を検出し続けているときは、前記バックライトを点灯させた時から同じ姿勢を検出し続けていないときよりも、バックライトの点灯時間を長くする
携帯電話機におけるバックライトの制御方法。
【請求項９】
バックライトを有する表示部と、操作部と、を備える携帯電話機におけるバックライトの制御方法であって、
入力を検出する入力検出ステップと、
当該携帯電話機の姿勢を検出する姿勢検出ステップと、
前記操作部からの入力のあった場合は前記バックライトを点灯させ、前記操作部からの入力のあった時から所定時間前記操作部からの入力のない場合は前記バックライトを消灯させるバックライト制御ステップと、を有し、
前記バックライト制御ステップは、前記操作部からの入力のあった時の姿勢から所定の姿勢状態の範囲内を検出し続けているときは、前記操作部からの入力のあった時の姿勢から所定の姿勢状態の範囲内を検出し続けていないときよりも、バックライトの点灯時間を長くする
携帯電話機におけるバックライトの制御方法。
【請求項１０】
バックライトを有する表示部と、操作部と、を備える携帯電話機におけるバックライトの制御方法であって、
入力を検出する入力検出ステップと、
当該携帯電話機の姿勢を検出する姿勢検出ステップと、
前記操作部からの入力のあった場合は前記バックライトを点灯させ、前記バックライトを点灯させてから所定時間前記操作部からの入力のない場合は、前記バックライトを消灯させるバックライト制御ステップと、を有し、
前記バックライト制御ステップは、前記バックライトを点灯させた時の姿勢から所定の姿勢状態の範囲内を検出し続けているときは、前記バックライトを点灯させた時の姿勢から所定の姿勢状態の範囲内を検出し続けていないときよりも、バックライトの点灯時間を長くする
携帯電話機におけるバックライトの制御方法。
【請求項１１】
バックライトを有する表示部と、操作部と、を備える携帯電話機におけるバックライトの制御方法であって、
入力を検出する入力検出ステップと、
当該携帯電話機の姿勢を検出する姿勢検出ステップと、
前記操作部からの入力のあった場合は前記バックライトを点灯させ、前記操作部からの入力のあった時から所定時間前記操作部からの入力のない場合は前記バックライトを消灯させるバックライト制御ステップと、を有し、
前記バックライト制御ステップは、当該携帯電話機の姿勢の変化が所定範囲内よりも小さいときは、当該携帯電話機の姿勢の変化が所定範囲内よりも大きいときよりも、バックライトの点灯時間を長くする
携帯電話機におけるバックライトの制御方法。
【発明の詳細な説明】
【技術分野】
【０００１】
本発明は、携帯電話機及び携帯電話機におけるバックライトの制御方法に関するものである。
【背景技術】
【０００２】
携帯電話機において、周辺の明暗に応じてＬＣＤ表示部のバックライトの点灯、消灯の制御だけでなく、一旦照明手段を点灯させて一定時間キーシートからのキー入力のない場合には、自動的にバックライトを消灯させるようにすることが知られている。これにより、きめ細かいバックライトの消費電流を削減するための制御を行うことができる（例えば、特許文献１参照）。
【０００３】
また、携帯電話機の傾きが所定角度に達した場合にオン／オフ出力する傾斜センサを使用して、ＬＣＤ表示部のバックライトの点灯／消灯を制御する携帯電話機も知られている。これにより、ＬＣＤ表示部が暗い場合などに携帯電話機の傾きを変えることのみによってＬＣＤ表示部を明るくすることができるため、操作性の向上が図れる（例えば、特許文献１参照）。
【特許文献１】特開２００２−０２７１０２号公報
【特許文献２】特開２００６−０１４０５６号公報
【発明の開示】
【発明が解決しようとする課題】
【０００４】
しかしながら、特許文献２の携帯電話機においては、ユーザが携帯電話機を使用していない場合であっても、携帯電話機の傾きが所定角度であればバックライトが点灯し続けてしまい、消費電力が無駄になるという課題がある。
【０００５】
本発明は、従来の問題を解決するためになされたもので、ユーザが携帯電話機を使用していない場合にバックライトが点灯し続けてしまう問題を回避しつつ、ユーザが使用している可能性が高い場合にバックライト点灯時間を長くして、使い勝手を向上させることを目的とする。また、ユーザが着席している場合だけでなく、立っている場合や寝転がっている場合など、ユーザによりいろいろな使い方をされた場合でも、バックライト点灯時間を長くすることができ、使い勝手を向上させることを目的とする。
【課題を解決するための手段】
【０００６】
本発明の携帯電話機は、バックライトを有する表示部と、入力を検出する操作部と、当該携帯電話機の姿勢を検出する姿勢検出部と、前記操作部からの入力のあった場合は前記バックライトを点灯させ、前記操作部からの入力のあった時から所定時間前記操作部からの入力のない場合は前記バックライトを消灯させるバックライト制御部と、を備え、前記バックライト制御部は、前記操作部からの入力のあった時から同じ姿勢を検出し続けているときは、前記操作部からの入力のあった時から同じ姿勢を検出し続けていないときよりも、バックライトの点灯時間を長くする構成を有する。
【０００７】
また、本発明の携帯電話機は、前記姿勢検出部は、当該携帯電話機の姿勢が安定してから前記操作部からの入力のあった時の姿勢を検出する構成を含む。
【０００８】
また、本発明の携帯電話機は、バックライトを有する表示部と、入力を検出する操作部と、当該携帯電話機の姿勢を検出する姿勢検出部と、前記操作部からの入力のあった場合は前記バックライトを点灯させ、前記バックライトを点灯させてから所定時間前記操作部からの入力のない場合は、前記バックライトを消灯させるバックライト制御部と、を備え、前記バックライト制御部は、前記バックライトを点灯させた時から同じ姿勢を検出し続けているときは、前記バックライトを点灯させた時から同じ姿勢を検出し続けていないときよりも、バックライトの点灯時間を長くする構成を有する。
【０００９】
また、本発明の携帯電話機は、バックライトを有する表示部と、入力を検出する操作部と、当該携帯電話機の姿勢を検出する姿勢検出部と、前記操作部からの入力のあった場合は前記バックライトを点灯させ、前記操作部からの入力のあった時から所定時間前記操作部からの入力のない場合は前記バックライトを消灯させるバックライト制御部と、を備え、前記バックライト制御部は、前記操作部からの入力のあった時の姿勢から所定の姿勢状態の範囲内を検出し続けているときは、前記操作部からの入力のあった時の姿勢から所定の姿勢状態の範囲内を検出し続けていないときよりも、バックライトの点灯時間を長くする構成を有する。
【００１０】
また、本発明の携帯電話機は、バックライトを有する表示部と、入力を検出する操作部と、当該携帯電話機の姿勢を検出する姿勢検出部と、前記操作部からの入力のあった場合は前記バックライトを点灯させ、前記バックライトを点灯させてから所定時間前記操作部からの入力のない場合は、前記バックライトを消灯させるバックライト制御部と、を備え、前記バックライト制御部は、前記バックライトを点灯させた時の姿勢から所定の姿勢状態の範囲内を検出し続けているときは、前記バックライトを点灯させた時の姿勢から所定の姿勢状態の範囲内を検出し続けていないときよりも、バックライトの点灯時間を長くする構成を有する。
【００１１】
また、本発明の携帯電話機は、バックライトを有する表示部と、入力を検出する操作部と、当該携帯電話機の姿勢を検出する姿勢検出部と、前記操作部からの入力のあった場合は前記バックライトを点灯させ、前記操作部からの入力のあった時から所定時間前記操作部からの入力のない場合は前記バックライトを消灯させるバックライト制御部と、を備え、前記バックライト制御部は、当該携帯電話機の姿勢の変化が所定範囲内よりも小さいときは、当該携帯電話機の姿勢の変化が所定範囲内よりも大きいときよりも、バックライトの点灯時間を長くする構成を有する。
【００１２】
また、本発明のバックライトの制御方法は、バックライトを有する表示部と、操作部と、を備える携帯電話機におけるバックライトの制御方法であって、入力を検出する入力検出ステップと、当該携帯電話機の姿勢を検出する姿勢検出ステップと、前記操作部からの入力のあった場合は前記バックライトを点灯させ、前記操作部からの入力のあった時から所定時間前記操作部からの入力のない場合は前記バックライトを消灯させるバックライト制御ステップと、を有し、前記バックライト制御ステップは、前記操作部からの入力のあった時から同じ姿勢を検出し続けているときは、前記操作部からの入力のあった時から同じ姿勢を検出し続けていないときよりも、バックライトの点灯時間を長くする構成を有する。
【００１３】
また、本発明のバックライトの制御方法は、バックライトを有する表示部と、操作部と、を備える携帯電話機におけるバックライトの制御方法であって、入力を検出する入力検出ステップと、当該携帯電話機の姿勢を検出する姿勢検出ステップと、前記操作部からの入力のあった場合は前記バックライトを点灯させ、前記バックライトを点灯させてから所定時間前記操作部からの入力のない場合は、前記バックライトを消灯させるバックライト制御ステップと、を有し、前記バックライト制御ステップは、前記バックライトを点灯させた時から同じ姿勢を検出し続けているときは、前記バックライトを点灯させた時から同じ姿勢を検出し続けていないときよりも、バックライトの点灯時間を長くする構成を有する。
【００１４】
また、本発明のバックライトの制御方法は、バックライトを有する表示部と、操作部と、を備える携帯電話機におけるバックライトの制御方法であって、入力を検出する入力検出ステップと、当該携帯電話機の姿勢を検出する姿勢検出ステップと、前記操作部からの入力のあった場合は前記バックライトを点灯させ、前記操作部からの入力のあった時から所定時間前記操作部からの入力のない場合は前記バックライトを消灯させるバックライト制御ステップと、を有し、前記バックライト制御ステップは、前記操作部からの入力のあった時の姿勢から所定の姿勢状態の範囲内を検出し続けているときは、前記操作部からの入力のあった時の姿勢から所定の姿勢状態の範囲内を検出し続けていないときよりも、バックライトの点灯時間を長くする構成を有する。
【００１５】
また、本発明のバックライトの制御方法は、バックライトを有する表示部と、操作部と、を備える携帯電話機におけるバックライトの制御方法であって、入力を検出する入力検出ステップと、当該携帯電話機の姿勢を検出する姿勢検出ステップと、前記操作部からの入力のあった場合は前記バックライトを点灯させ、前記バックライトを点灯させてから所定時間前記操作部からの入力のない場合は、前記バックライトを消灯させるバックライト制御ステップと、を有し、前記バックライト制御ステップは、前記バックライトを点灯させた時の姿勢から所定の姿勢状態の範囲内を検出し続けているときは、前記バックライトを点灯させた時の姿勢から所定の姿勢状態の範囲内を検出し続けていないときよりも、バックライトの点灯時間を長くする構成を有する。
【００１６】
また、本発明のバックライトの制御方法は、バックライトを有する表示部と、操作部と、を備える携帯電話機におけるバックライトの制御方法であって、入力を検出する入力検出ステップと、当該携帯電話機の姿勢を検出する姿勢検出ステップと、前記操作部からの入力のあった場合は前記バックライトを点灯させ、前記操作部からの入力のあった時から所定時間前記操作部からの入力のない場合は前記バックライトを消灯させるバックライト制御ステップと、を有し、前記バックライト制御ステップは、当該携帯電話機の姿勢の変化が所定範囲内よりも小さいときは、当該携帯電話機の姿勢の変化が所定範囲内よりも大きいときよりも、バックライトの点灯時間を長くする構成を有する。
【発明の効果】
【００１７】
本発明は、携帯電話機がバックライト点灯時と同じ姿勢を維持しているときなどに、バックライト点灯時間を前記所定時間よりも長くすることにより、携帯電話機を使用していない場合にバックライトが点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【発明を実施するための最良の形態】
【００１８】
以下、本発明の実施の形態について、図面を用いて説明する。
【００１９】
（実施の形態１）
本発明の実施の形態１について説明する。
【００２０】
図１は、本発明の実施の形態１における携帯電話機１の構成を示すブロック図である。図１に示すように、本発明の実施の形態１の携帯電話機１は、バックライト１１１を有する表示部１１と、入力を検出する操作部１２と、携帯電話機１の姿勢を検出する姿勢検出部１３と、バックライト制御部１４と、を備えている。
【００２１】
また、携帯電話機１は、携帯電話機としての無線通信を行うための無線通信部１５と、通話相手の声を聞くための受話部１６と、ユーザの声を通話している相手に送るための送話部１７と、を備えている。無線通信制御部１８は、無線通信部１５により受信した通話相手の声を復号して受話部１６に伝え、送話部１７により入力したユーザの声を符号化して無線通信部１５により送信させる。
【００２２】
バックライト１１１を有する表示部１１としては、具体的には、液晶表示部が考えられる。ここで、バックライト１１１は、表示部１１の照明を行うためのものである。
【００２３】
操作部１２は、ユーザのキー入力等の入力を検出する。操作部１２としては、具体的には、例えば、電話番号や文字等を入力するためのダイヤルボタン、機能操作やメニュー操作を行うためのコマンドナビゲーションボタン、携帯電話機の側面に設けられているサイドボタン等が考えられる。また、携帯電話機１が折り畳み式の携帯電話やスライド式の携帯電話である場合には、開閉検出部も操作部１２に該当しうる。
【００２４】
姿勢検出部１３は、携帯電話機１の姿勢を検出する。姿勢検出部１３としては、具体的には、例えば、加速度センサなどが考えられる。加速度センサは、重力加速度の向きから携帯電話機１の姿勢を検出することができる。
【００２５】
バックライト制御部１４は、操作部１２からの入力のあった場合はバックライト１１１を点灯させ、操作部１２からの入力のあった時から所定時間操作部１２からの入力のない場合はバックライト１１１を消灯させる。すなわち、バックライト制御部１４は、操作部１２からの入力を検出した場合はバックライト１１１を点灯させ、操作部１２からの入力を検出した時から所定時間操作部１２からの入力を検出しない場合はバックライト１１１を消灯させる。ここで、バックライト制御部１４は、姿勢検出部１３が、操作部１２からの入力のあった時から同じ姿勢を検出し続けているときは、操作部１２からの入力のあった時から同じ姿勢を検出し続けていないときよりも、バックライト１１１の点灯時間を長くする。このような制御により、携帯電話機１を使用していない場合にバックライトが点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【００２６】
なお、バックライト制御部１４は、操作部１２からの入力のあった場合はバックライト１１１を点灯させ、バックライト１１１を点灯させてから所定時間操作部１２からの入力のない場合は、バックライト１１１を消灯させるようにするようにしてもよい。ここで、バックライト制御部１４は、姿勢検出部１３が、バックライト１１１を点灯させた時から同じ姿勢を検出し続けているときは、バックライト１１１を点灯させた時から同じ姿勢を検出し続けていないときよりも、バックライト１１１の灯時間を長くする。このような制御によっても、携帯電話機１を使用していない場合にバックライトが点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【００２７】
また、バックライト制御部１４は、上記の制御に代えて、姿勢検出部１３が、操作部１２からの入力のあった時の姿勢から所定の姿勢状態の範囲内を検出し続けているときは、操作部１２からの入力のあった時の姿勢から所定の姿勢状態の範囲内を検出し続けていないときよりも、バックライト１１１の点灯時間を長くするようにしてもよい。又は、バックライト制御部１４は、上記の制御に代えて、姿勢検出部１３が、バックライト１１１を点灯させた時の姿勢から所定の姿勢状態の範囲内を検出し続けているときは、バックライト１１１を点灯させた時の姿勢から所定の姿勢状態の範囲内を検出し続けていないときよりも、バックライト１１１の点灯時間を長くするようにしてもよい。これらの制御によっても、携帯電話機１を使用していない場合にバックライトが点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【００２８】
次に、携帯電話機１におけるバックライトの制御のフローについて、図２に示すフローチャートを用いて説明する。
【００２９】
図２において、携帯電話機１の操作部１２は、ユーザによるキー入力等の入力の有無を検出する。そして、バックライト制御部１４は、ユーザによるキー入力等の入力があった場合は、バックライト１１１を点灯させる（ステップＳ１０２  ＹＥＳ、ステップＳ１０３）。一方、ユーザによるキー入力等の入力がなかった場合は、定期的にユーザによるキー入力等の入力の有無を検出を続ける（ステップＳ１０２  ＮＯ）。
【００３０】
次に、バックライト制御部１４は、点灯時間の計測を開始する。具体的には、例えば、タイマの時間を零にリセットして、タイマをスタートさせることにより点灯時間の計測を開始することができる。これにより、操作部１２がユーザによるキー入力等の入力の有無を検出した時又はバックライト１１１を点灯させた時からの点灯時間の計測を開始することができる（ステップＳ１０４）。
【００３１】
次に、バックライト制御部１４は、同じ姿勢を維持していることを示すフラグを真（ＴＲＵＥ）にする（ステップＳ１０５）。
【００３２】
次に、姿勢検出部１３は、携帯電話機１の姿勢を検出する（ステップＳ１０６）。バックライト制御部１４は、このときの携帯電話機１の姿勢を、バックライト１１１の点灯時の姿勢（姿勢１）として、ＲＡＭ（ランダムアクセスメモリ）等の記憶部に記憶しておく。
【００３３】
次に、姿勢検出部１３は、携帯電話機１の姿勢（姿勢２）を検出する（ステップＳ１０９）。
【００３４】
次に、バックライト制御部１４は、姿勢２（現在の姿勢又は直近に検出した姿勢）（ステップＳ１０９で検出した姿勢）が、バックライト１１１の点灯時の姿勢（ステップＳ１０６で検出した姿勢１）と実質的に同じ姿勢であるか否かを判断する（ステップＳ１１０）。ここで、例えば、バックライト１１１を点灯させた時の姿勢から所定の姿勢状態の範囲内を検出し続けている場合は、実質的に同じ姿勢であるものとする。また、バックライト１１１を点灯させた時の姿勢から所定の姿勢状態の範囲内を検出し続けていない場合は、実質的に同じ姿勢でないものとする。ここで、この実質的に同じ姿勢であるか否かは、例えば、姿勢１と姿勢２の差が所定の閾値以下か否かで判断することができる。
【００３５】
次に、バックライト制御部１４は、ステップＳ１１０の判定の結果が、実質的に同じ姿勢でない場合は、同じ姿勢を維持していることを示すフラグを偽（ＦＡＬＳＥ）にする（ステップＳ１１０  ＮＯ、ステップＳ１１１）。
【００３６】
一方、ステップＳ１１０の判定の結果が、実質的に同じ姿勢である場合は、ステップＳ１１２の処理を続ける（ステップＳ１１０  ＹＥＳ）。
【００３７】
次に、バックライト制御部１４は、同じ姿勢を維持していることを示すフラグが真であるか否か（フラグの値の真偽）を判定する（ステップＳ１１２）。
【００３８】
次に、バックライト制御部１４は、同じ姿勢を維持していることを示すフラグが偽（ＦＡＬＳＥ）の場合は、さらに、バックライト１１１の点灯時間が第１の所定の時間Ｔ１以上であるか否かを判定する（ステップＳ１１２  ＮＯ、ステップＳ１１３）。具体的には、例えば、タイマの時間を所定の時間Ｔ１と比較する。そして、バックライト１１１の点灯時間が第１の所定の時間Ｔ１以上である場合は、バックライト１１１を消灯させる（ステップＳ１１３  ＹＥＳ、ステップＳ１１４）。一方、バックライト１１１の点灯時間が第１の所定の時間Ｔ１以上でない場合は、再びステップＳ１０９の処理を続ける。
【００３９】
これに対して、バックライト制御部１４は、同じ姿勢を維持していることを示すフラグが真（ＴＲＵＥ）の場合は、さらに、バックライト１１１の点灯時間が第２の所定の時間Ｔ２以上であるか否かを判定する（ステップＳ１１２  ＹＥＳ、ステップＳ１１５）。具体的には、例えば、タイマの時間を所定の時間Ｔ２と比較する。そして、バックライト１１１の点灯時間が第２の所定の時間Ｔ２以上である場合は、バックライト１１１を消灯させる（ステップＳ１１５  ＹＥＳ、ステップＳ１１４）。一方、バックライト１１１の点灯時間が第２の所定の時間Ｔ２以上でない場合は、再びステップＳ１０９の処理を続ける。ここで、第２の所定の時間Ｔ２は、第１の所定の時間Ｔ１よりも長いものとする。
【００４０】
このような制御を行うことにより、携帯電話機１は、姿勢検出部１３が、バックライト制御部１４がバックライト１１１を点灯させた時から同じ姿勢を検出し続けているときは、バックライト１１１を点灯させた時から同じ姿勢を検出し続けていないときよりも、バックライト１１１の点灯時間を長くすることができる。
【００４１】
以上のように本発明の実施の形態１の携帯電話機１によれば、携帯電話機１がバックライト点灯時と同じ姿勢を維持しているときなどに、バックライト点灯時間を前記所定時間よりも長くすることにより、携帯電話機１を使用していない場合にバックライト１１１が点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【００４２】
次に、本実施の形態１の第１の変形例について説明する。
【００４３】
図３は、本実施の形態１の第１の変形例における携帯電話機１のバックライト制御部１４によるバックライト１１１の制御のフローを示すフローチャートである。図３において、図２のフローチャートと同様の処理を行うステップには、同じ符号を付した。これらのステップについては、説明を省略する。図３のフローが図２のフローと異なるのは、ステップＳ１１６〜Ｓ１１８である。
【００４４】
すなわち、図３のフローにおいては、姿勢検出部１３は、携帯電話機１の姿勢１（バックライト１１１の点灯時の姿勢）又は姿勢２（現在の姿勢）を検出する前に、姿勢１を検出済みか否かを判断する（ステップＳ１１６）。そして、姿勢１を検出済みでない場合には、ステップＳ１１７の処理を行い（ステップＳ１１６  ＮＯ）、姿勢１を検出済みの場合には、ステップＳ１０９の処理に進む（ステップＳ１１６  ＹＥＳ）。
【００４５】
そして、姿勢１を検出済みでない場合には、現在、姿勢が安定しているか否かを判断する（ステップＳ１１７）。そして、姿勢が安定している場合には、姿勢検出部１３は、携帯電話機１の現在の姿勢を検出し、検出した姿勢を姿勢１としてバックライト１１１の点灯時の姿勢として、ＲＡＭ（ランダムアクセスメモリ）等の記憶部に記憶する（ステップＳ１１７  ＹＥＳ、ステップＳ１１８）。そしてステップＳ１０９に進む。一方、姿勢が安定していない場合には、ステップＳ１１３に進む（ステップＳ１１７  ＮＯ）。
【００４６】
本実施の形態１の第１の変形例においては、このような処理を行うことで、基準となるバックライト１１１の点灯時の姿勢（姿勢１）の精度を高めることができるので、より的確なバックライト制御を行い、使い勝手をさらに向上することができる。
【００４７】
次に、本実施の形態１の第２の変形例について説明する。
【００４８】
図４は、本実施の形態１の第２の変形例における携帯電話機１のバックライト制御部１４によるバックライト１１１の制御のフローを示すフローチャートである。図４において、図２のフローチャートと同様の処理を行うステップには、同じ符号を付した。これらのステップについては、説明を省略する。図４のフローが図２のフローと異なるのは、ステップＳ１０８である。
【００４９】
すなわち、図４のフローにおいては、姿勢検出部１３は、姿勢２（現在の姿勢）を検出する前に、操作部１２は、ユーザによるキー入力等の入力の有無を検出する。そして、バックライト制御部１４は、ユーザによるキー入力等の入力があった場合は、ステップＳ１０４の処理を行う（ステップＳ１０８  ＹＥＳ）。この場合、バックライト制御部１４は、タイマの時間を再度零にリセットする等して点灯時間の計測を再度開始することとなる。一方、ユーザによるキー入力等の入力がなかった場合は、姿勢検出部１３が、携帯電話機１の姿勢（姿勢２）を検出する（ステップＳ１０８  ＮＯ、ステップＳ１０９）。
【００５０】
本実施の形態１の第２の変形例においては、このような処理を行うことで、ユーザによるキー入力等の入力があった場合には、バックライトの点灯をし続けることができるので、より的確なバックライト制御を行い、使い勝手をさらに向上することができる。
【００５１】
なお、本実施の形態１では、本実施の形態１の第１の変形例と本実施の形態１の第２の変形例を組み合わせた処理も可能である。
【００５２】
また、本実施の形態１及びその変形例１、２では、本発明を携帯電話機に適用した場合について説明したが、本発明は、携帯電話機だけでなく、バックライトを有する表示部と操作部とを備えていて、バックライトの消費電流が問題になるような他の携帯電子機器にも適用することができる。
【００５３】
また、本実施の形態１及びその変形例１、２では、同じ姿勢を維持していることを示すフラグとタイマを使用した制御について説明したが、これに代えて、タイマの期限（点灯時間）を可変とし、バックライト１１１の点灯時（又は点灯時間計測開始時）には、点灯時間をＴ２とし、姿勢１と姿勢２が実質的に同じでない場合に点灯時間をＴ１とする（ここでＴ２＞Ｔ１とする）制御を行うことでも同様の制御を行うことができる。
【００５４】
また、本実施の形態１及びその変形例１、２において、ステップＳ１１０で姿勢１と姿勢２が実質的に同じ姿勢であるか否か判定した後、最新の姿勢（姿勢２）を次回姿勢を比較する場合の基準の姿勢（姿勢１）とすることもできる。すなわち姿勢１として、姿勢１に姿勢２を代入することもできる。これにより、携帯電話機１の姿勢の変化が所定範囲内よりも小さいときは、携帯電話機１の姿勢の変化が所定範囲内よりも大きいときよりも、バックライト１１１の点灯時間を長くすることができる。このような制御を追加した場合には、携帯電話機１がバックライト１１１の点灯時と同じ姿勢を維持しているときなどに加えて、携帯電話機１の姿勢がゆっくり変化している場合にもバックライト１１１の点灯時間を前記所定時間よりも長くすることができる。これにより、携帯電話機１を使用していない場合にバックライト１１１が点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【００５５】
（実施の形態２）
本発明の実施の形態２について説明する。
【００５６】
本発明の実施の形態１においては、バックライト１１１の点灯時（又は操作部１２が入力を検出した時）から実質的に同じ姿勢を維持している場合に、バックライト１１１の点灯時間を延長する制御について説明した。これに対して、本実施の形態２においては、バックライト１１１の点灯時（又は操作部１２が入力を検出した時）から所定の時間αの期間は途中で姿勢がどのように変化してもバックライトの点灯を続け、所定の時間αの経過後の期間はバックライト１１１の点灯時（又は操作部１２が入力を検出した時）と実質的に同じ姿勢を維持している場合に、バックライト１１１の点灯時間を延長する制御について説明する。
【００５７】
本実施の形態２の携帯電話機１の構成は、本発明の実施の形態１の携帯電話機１の構成と同様であるので、説明を省略する。
【００５８】
図５は、本実施の形態２における携帯電話機１のバックライト制御部１４によるバックライト１１１の制御のフローを示すフローチャートである。図５において、図２のフローチャートと同様の処理を行うステップには、同じ符号を付した。これらのステップについては、説明を省略する。図５のフローが図２のフローと異なるのは、図５のステップＳ２０１〜Ｓ２０３、Ｓ２０４、Ｓ２０５のフローである。具体的には、例えばフラグ（同じ姿勢を維持していることを示すフラグ）とひとつのタイマを使用することに代えて、タイマ１とタイマ２という２つのタイマを使用している点などである。
【００５９】
図５のフローにおいては、バックライト１１１の点灯（ステップＳ１０３）と姿勢検出部１３の姿勢（姿勢１）検出（ステップＳ１０６）の後に、タイマ１の時間計測開始（期限：α）（ステップＳ２０１）と、タイマ２の時間計測開始（期限：β）（ステップＳ２０２）を行う。ここで、β＞αである。すなわち、タイマ２の期限はタイマ１の期限よりも長い。
【００６０】
次に、バックライト制御部１４は、タイマ１がタイムアウトしたか否か、すなわち、タイマ１の計測した時間が期限α（又は後述するγ）に達したか否かを判定する（ステップＳ２０３）。そして、タイマ１がタイムアウトしていない場合にはタイマ１、タイマ２による時間計測を続け、タイマ１がタイムアウトしたか否かの判定を定期的に繰り返す（ステップＳ２０３  ＮＯ）。一方、タイマ１がタイムアウトした場合には、姿勢検出部１３は、携帯電話機１の姿勢２（現在の姿勢）を検出する（ステップＳ２０３  ＹＥＳ、ステップＳ１０９）。
【００６１】
また、姿勢１と姿勢２が実質的に同じ姿勢である場合には、さらに、タイマ２がタイムアウトしたか否か、すなわち、タイマ２の計測した時間が期限βに達したか否かを判定する（ステップＳ１１０  ＹＥＳ、ステップＳ２０４）。そして、バックライト制御部１４は、タイマ２がタイムアウトした場合は、バックライト１１１を消灯させる（ステップＳ２０４  ＹＥＳ、ステップＳ１１４）。一方、タイマ２がタイムアウトしていない場合は、タイマ１の期限をγに再設定したうえで、タイマ２の時間計測を再スタートさせる（ステップＳ２０４  ＮＯ、ステップＳ２０５）。そして、ステップＳ２０３の処理を続ける。
【００６２】
ここで、γは比較的短い時間に設定する。好ましくは、γ＜α、かつ、γ＜（β−α）となるように設定する。
【００６３】
本実施の形態２においては、このような処理により、バックライト１１１の点灯時（又は操作部１２が入力を検出した時）から所定の時間αの期間は、途中で姿勢がどのように変化してもバックライトの点灯を続ける。そして、所定の時間αの経過後の期間は、定期的に（時間γごとに）バックライト１１１の点灯時（又は操作部１２が入力を検出した時）と実質的に同じ姿勢を維持しているか否かを判定する。そして、同じ姿勢を維持している場合には、バックライト１１１の点灯時間を延長する。ただし、タイマ２（期限β）がタイムアウトした場合には、バックライト１１１は消灯される。
【００６４】
以上のように本発明の実施の形態２の携帯電話機１によれば、携帯電話機１がバックライト点灯時と同じ姿勢を維持しているときなどに、バックライト点灯時間を所定時間（α）よりも長くする（β＞α）ことにより、携帯電話機１を使用していない場合にバックライト１１１が点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【００６５】
次に、本実施の形態２の第１の変形例について説明する。
【００６６】
図６は、本実施の形態２の第１の変形例における携帯電話機１のバックライト制御部１４によるバックライト１１１の制御のフローを示すフローチャートである。図６において、図５のフローチャートと同様の処理を行うステップには、同じ符号を付した。これらのステップについては、説明を省略する。図６のフローが図５のフローと異なるのは、図６のステップＳ１１６〜Ｓ１１８、Ｓ１１９である。
【００６７】
図６のステップＳ１１６〜Ｓ１１８は、図３のステップＳ１１６〜Ｓ１１８と同様であるので説明を省略する。
【００６８】
図６のステップＳ１１９においては、タイマ１がタイムアウトした場合に、さらに、姿勢１を検出済みか否かを判定する（ステップＳ２０３  ＹＥＳ、ステップＳ１１９）。姿勢１を検出済みでない場合は、バックライト制御部１４はバックライト１１１を消灯させる（ステップＳ１１９  ＮＯ、ステップＳ１１４）。一方、姿勢１を検出済みの場合は、さらに、タイマ２がタイムアウトしたか否かを判定する（ステップＳ１１９  ＹＥＳ、ステップＳ２０４）。
【００６９】
本実施の形態２の第１の変形例においては、このような処理により、基準となるバックライト１１１の点灯時の姿勢（姿勢１）の精度を高めることができるとともに、姿勢が安定しないために、姿勢１を検出できない場合には、バックライト１１１の点灯時間を延長しない制御を行うことができる。このため、より的確なバックライト制御を行い、使い勝手をさらに向上することができる。
【００７０】
なお、本実施の形態２においても、変形例２として、本発明の実施の形態１の変形例２と同様に、図４のステップＳ１０８と同様の処理を追加することもできる。
【００７１】
すなわち、姿勢検出部１３は、姿勢２（現在の姿勢）を検出するステップＳ１０９の前又はタイマ１がタイムアウトしたか否かを判定するステップＳ２０３の前に、操作部１２は、ユーザによるキー入力等の入力の有無を検出する。そして、バックライト制御部１４は、ユーザによるキー入力等の入力があった場合は、ステップＳ１０６の処理を行う（ステップＳ１０８  ＹＥＳ）。この場合、バックライト制御部１４は、タイマ１、２の時間（期限）を再度リセットする等して点灯時間の計測を再度開始することとなる。一方、ユーザによるキー入力等の入力がなかった場合は、タイマ１がタイムアウトしたか否かを判定し（ステップＳ２０３）、又は、姿勢検出部１３が、携帯電話機１の姿勢（姿勢２）を検出する（ステップＳ１０８  ＮＯ、ステップＳ１０９）。
【００７２】
本実施の形態２の第２の変形例においては、このような処理を行うことで、ユーザによるキー入力等の入力があった場合には、バックライトの点灯をし続けることができるので、より的確なバックライト制御を行い、使い勝手をさらに向上することができる。
【００７３】
なお、本実施の形態２では、本実施の形態２の第１の変形例と本実施の形態２の第２の変形例を組み合わせた処理も可能である。
【００７４】
また、本実施の形態２及びその変形例１、２では、本発明を携帯電話機に適用した場合について説明したが、本発明は、携帯電話機だけでなく、バックライトを有する表示部と操作部とを備えていて、バックライトの消費電流が問題になるような他の携帯電子機器にも適用することができる。
【００７５】
また、本実施の形態２及びその変形例１、２において、ステップＳ１１０で姿勢１と姿勢２が実質的に同じ姿勢であるか否か判定した後、最新の姿勢（姿勢２）を次回姿勢を比較する場合の基準の姿勢（姿勢１）とすることもできる。すなわち姿勢１として、姿勢１に姿勢２を代入することもできる。これにより、携帯電話機１の姿勢の変化が所定範囲内よりも小さいときは、携帯電話機１の姿勢の変化が所定範囲内よりも大きいときよりも、バックライト１１１の点灯時間を長くすることができる。このような制御を追加した場合には、携帯電話機１がバックライト１１１の点灯時と同じ姿勢を維持しているときなどに加えて、携帯電話機１の姿勢がゆっくり変化している場合にもバックライト１１１の点灯時間を前記所定時間よりも長くすることができる。これにより、携帯電話機１を使用していない場合にバックライト１１１が点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【００７６】
（実施の形態３）
本発明の実施の形態３について説明する。
【００７７】
本発明の実施の形態２においては、タイマ１、２を使用して制御を行ったのに対して、本実施の形態３においては、これに代えてタイマ１と延長回数のカウンタＣＮＴを用いた制御について説明する。
【００７８】
本実施の形態３の携帯電話機１の構成は、本発明の実施の形態１、２の携帯電話機１の構成と同様であるので、説明を省略する。
【００７９】
図７は、本実施の形態３における携帯電話機１のバックライト制御部１４によるバックライト１１１の制御のフローを示すフローチャートである。図７において、図５のフローチャートと同様の処理を行うステップには、同じ符号を付した。これらのステップについては、説明を省略する。図７のフローが図５のフローと異なるのは、ステップＳ３０１〜Ｓ３０３、Ｓ３０４、Ｓ３０５のフローである。
【００８０】
図７のフローにおいては、バックライト１１１の点灯（ステップＳ１０３）と姿勢検出部１３の姿勢（姿勢１）検出（ステップＳ１０６）の後に、タイマ１の時間計測開始（期限：α）（ステップＳ３０１）と、延長回数のカウンタＣＮＴの零リセット（閾値：β回）（ステップＳ３０２）を行う。
【００８１】
次に、バックライト制御部１４は、タイマ１がタイムアウトしたか否か、すなわち、タイマ１の計測した時間が期限αに達したか否かを判定する（ステップＳ３０３）。そして、タイマ１がタイムアウトしていない場合にはタイマ１による時間計測を続け、タイマ１がタイムアウトしたか否かの判定を定期的に繰り返す（ステップＳ３０３  ＮＯ）。一方、タイマ１がタイムアウトした場合には、姿勢検出部１３は、携帯電話機１の姿勢２（現在の姿勢）を検出する（ステップＳ３０３  ＹＥＳ、ステップＳ１０９）。
【００８２】
また、姿勢１と姿勢２が実質的に同じ姿勢である場合には、さらに、延長回数のカウンタＣＮＴが閾値βよりも大きいか否かを判定する（ステップＳ１１０  ＹＥＳ、ステップＳ３０４）。そして、バックライト制御部１４は、延長回数のカウンタＣＮＴが閾値βよりも大きい場合は、バックライト１１１を消灯させる（ステップＳ３０４  ＹＥＳ、ステップＳ１１４）。一方、延長回数のカウンタＣＮＴが閾値βよりも大きくない場合は、延長回数のカウンタＣＮＴをひとつインクリメント（ＣＮＴ＝ＣＮＴ＋１）したうえで、タイマ１の時間計測を再スタートさせる（ステップＳ３０４  ＮＯ、ステップＳ３０５）。そして、ステップＳ３０３の処理を続ける。
【００８３】
本実施の形態３においては、このような処理により、バックライト１１１の点灯時（又は操作部１２が入力を検出した時）から所定の時間αの期間は、途中で姿勢がどのように変化してもバックライトの点灯を続ける。そして、所定の時間αの経過後の期間は、定期的に（タイマ１の時間計測を再スタートさせる時に設定した期限（又は時間）ごとに）バックライト１１１の点灯時（又は操作部１２が入力を検出した時）と実質的に同じ姿勢を維持しているか否かを判定する。そして、同じ姿勢を維持している場合には、バックライト１１１の点灯時間を延長する。ただし、延長回数のカウンタＣＮＴが閾値βよりも大きい場合には、バックライト１１１は消灯される。
【００８４】
以上のように本発明の実施の形態３の携帯電話機１によれば、携帯電話機１がバックライト点灯時と同じ姿勢を維持しているときなどに、バックライト点灯時間を延長して、所定時間（α）よりも長くすることにより、携帯電話機１を使用していない場合にバックライト１１１が点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【００８５】
次に、本実施の形態３の第１の変形例について説明する。
【００８６】
図８は、本実施の形態３の第１の変形例における携帯電話機１のバックライト制御部１４によるバックライト１１１の制御のフローを示すフローチャートである。図８において、図７のフローチャートと同様の処理を行うステップには、同じ符号を付した。これらのステップについては、説明を省略する。図８のフローが図７のフローと異なるのは、図８のステップＳ１１６〜Ｓ１１８、Ｓ１１９である。
【００８７】
図８のステップＳ１１６〜Ｓ１１８は、図６（又は図３）のステップＳ１１６〜Ｓ１１８と同様であるので説明を省略する。
【００８８】
図８のステップＳ１１９は、図６のステップＳ１１９と同様であるので説明を省略する。
【００８９】
本実施の形態３の第１の変形例においては、このような処理により、基準となるバックライト１１１の点灯時の姿勢（姿勢１）の精度を高めることができるとともに、姿勢が安定しないために、姿勢１を検出できない場合には、バックライト１１１の点灯時間を延長しない制御を行うことができる。このため、より的確なバックライト制御を行い、使い勝手をさらに向上することができる。
【００９０】
なお、本実施の形態３においても、変形例２として、本発明の実施の形態１、２の変形例２と同様に、図４のステップＳ１０８と同様の処理を追加することもできる。
【００９１】
すなわち、姿勢検出部１３は、姿勢２（現在の姿勢）を検出するステップＳ１０９の前又はタイマ１がタイムアウトしたか否かを判定するステップＳ３０３の前に、操作部１２は、ユーザによるキー入力等の入力の有無を検出する。そして、バックライト制御部１４は、ユーザによるキー入力等の入力があった場合は、ステップＳ１０６の処理を行う（ステップＳ１０８  ＹＥＳ）。この場合、バックライト制御部１４は、タイマ１の時間（期限）及び延長回数のカウンタＣＮＴを再度リセットする等して点灯時間の計測を再度開始することとなる。一方、ユーザによるキー入力等の入力がなかった場合は、タイマ１がタイムアウトしたか否かを判定し（ステップＳ３０３）、又は、姿勢検出部１３が、携帯電話機１の姿勢（姿勢２）を検出する（ステップＳ１０８  ＮＯ、ステップＳ１０９）。
【００９２】
本実施の形態３の第２の変形例においては、このような処理を行うことで、ユーザによるキー入力等の入力があった場合には、バックライトの点灯をし続けることができるので、より的確なバックライト制御を行い、使い勝手をさらに向上することができる。
【００９３】
なお、本実施の形態３でも、本実施の形態３の第１の変形例と本実施の形態３の第２の変形例を組み合わせた処理も可能である。
【００９４】
また、本実施の形態３及びその変形例１、２では、本発明を携帯電話機に適用した場合について説明したが、本発明は、携帯電話機だけでなく、バックライトを有する表示部と操作部とを備えていて、バックライトの消費電流が問題になるような他の携帯電子機器にも適用することができる。
【００９５】
また、本実施の形態３及びその変形例１、２において、ステップＳ１１０で姿勢１と姿勢２が実質的に同じ姿勢であるか否か判定した後、最新の姿勢（姿勢２）を次回姿勢を比較する場合の基準の姿勢（姿勢１）とすることもできる。すなわち姿勢１として、姿勢１に姿勢２を代入することもできる。これにより、携帯電話機１の姿勢の変化が所定範囲内よりも小さいときは、携帯電話機１の姿勢の変化が所定範囲内よりも大きいときよりも、バックライト１１１の点灯時間を長くすることができる。このような制御を追加した場合には、携帯電話機１がバックライト１１１の点灯時と同じ姿勢を維持しているときなどに加えて、携帯電話機１の姿勢がゆっくり変化している場合にもバックライト１１１の点灯時間を前記所定時間よりも長くすることができる。これにより、携帯電話機１を使用していない場合にバックライト１１１が点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。
【産業上の利用可能性】
【００９６】
以上のように、本発明にかかる携帯電話機及び携帯電話機におけるバックライトの制御方法は、携帯電話機がバックライト点灯時と同じ姿勢を維持しているときなどに、バックライト点灯時間を前記所定時間よりも長くすることにより、携帯電話機を使用していない場合にバックライトが点灯し続けてしまう問題を回避しつつ、ユーザが使用している可能性が高い場合にバックライト点灯時間を長くすることができるので、使い勝手を向上させることができる。また、ユーザが着席している場合だけでなく、立っている場合や寝転がっている場合など、ユーザによりいろいろな使い方をされた場合でも、バックライト点灯時等と実質的に同じ姿勢を維持している限りバックライト点灯時間を長くすることができるので、使い勝手を向上させることができる。このため、携帯電話機及び携帯電話機におけるバックライトの制御方法として有用である。
【図面の簡単な説明】
【００９７】
【図１】本発明の実施の形態１における携帯電話機の構成を示すブロック図
【図２】本発明の実施の形態１における携帯電話機のバックライトの制御のフローを示すフローチャート
【図３】本発明の実施の形態１の第１の変形例における携帯電話機のバックライトの制御のフローを示すフローチャート
【図４】本発明の実施の形態１の第２の変形例における携帯電話機のバックライトの制御のフローを示すフローチャート
【図５】本発明の実施の形態２における携帯電話機のバックライトの制御のフローを示すフローチャート
【図６】本発明の実施の形態２の第１の変形例における携帯電話機のバックライトの制御のフローを示すフローチャート
【図７】本発明の実施の形態３における携帯電話機のバックライトの制御のフローを示すフローチャート
【図８】本発明の実施の形態３の第１の変形例における携帯電話機のバックライトの制御のフローを示すフローチャート
【符号の説明】
【００９８】
１    携帯電話機
１１    表示部
１１１    バックライト
１２    操作部
１３    姿勢検出部
１４    バックライト制御部
１５    無線通信部
１６    受話部
１７    送話部
１８    無線通信制御部
【図１】
2010171568.tif 000003
【図２】
2010171568.tif 000004
【図３】
2010171568.tif 000005
【図４】
2010171568.tif 000006
【図５】
2010171568.tif 000007
【図６】
2010171568.tif 000008
【図７】
2010171568.tif 000009
【図８】
2010171568.tif 000010